(57)【要約】      （修正有）【課題】使用時に屈曲自在チューブの末端部を非常に効果的に下向に加重して容器が傾いたり逆さの間にも、液体面下に屈曲自在チューブの末端部が浸漬した状態を維持することができる手動分配器のための屈曲自在浸漬チューブを提供する。【解決手段】浸漬チューブの末端部内に伸び摩擦によって取り付けられる一端と、末端部外に伸び、チューブの内部と連結するフィルター材を含む他端を有するフィルター要素と、末端部および前記フィルター要素の突出部を囲んで、使用中に末端部を下向きに加重させるウェイトを備える。フイルター要素はその一端にチューブの末端部は伸びる探針部を備え、ウエイトを支持するための外側環状のフランジを備える。【選択図】  図１
2005144447.tif 000002
【特許請求の範囲】
【請求項１】
噴射器に接続のための端部と噴射器を搭載する容器内に伸びる末端部を持つ細長い管状体と、前記末端部へ伸びてそこに摩擦力で取り付けられる一つの端部を持ち反対側の端部が前記末端部を超えて伸びて管状体の内側で連結するフィルター材を搭載するフィルター要素と、使用中に前記端末部に重量を与えるための前記フィルター要素の一つの端部を取り囲むウェイトと、より成る手動噴射器用屈曲自在浸漬チューブ。
【請求項２】
前記フィルター要素の前記一端は、前記管状体の内側直径より若干大きい最大横断寸法を有し、前記本体に前記フィルター要素を摩擦的に取り付けるための突出部を備えることを特徴とする、請求項１に記載の屈曲自在浸漬チューブ。
【請求項３】
前記突出部は、前記フィルター材および前記管状体の内部間を連結させる少なくとも１つの長手方向溝を備えることを特徴とする、請求項２に記載の屈曲自在浸漬チューブ。
【請求項４】
前記フィルター要素の前記一端は、少なくとも前記管状体の内側直径と同一の横断寸法を有し、前記ウェイトは、前記管状体の外側直径より若干小さな内側直径を有し、前記本体に前記フィルター要素を摩擦的に取り付けるための少なくとも１つの管状要素を備えることを特徴とする、請求項１に記載の屈曲自在浸漬チューブ。
【請求項５】
前記フィルター要素は管状体へのフィルター要素の端部の伸びを制限する停止体を構成する外側環状フランジをもち、前記外側フランジは重量支持体となっている、請求項１に記載の屈曲自在浸漬チューブ。
【請求項６】
前記ウェイトは、コイルスプリングを備えることを特徴とする、請求項１ないし５のいずれか１項に記載の屈曲自在浸漬チューブ。
【請求項７】
前記フィルター要素の前記一端は、複数の軸溝と定義される十字型部分の突出部を備えることを特徴とする、請求項１ないし５のいずれか１項に記載の屈曲自在浸漬チューブ。
【発明の詳細な説明】
【技術分野】
【０００１】
本発明は、トリガー動作型手動噴霧器のための屈曲自在浸漬チューブに関するものであり、詳細には、加重された端部にフィルター要素が設けられた噴霧器のための屈曲自在浸漬チューブに関するものである。
【背景技術】
【０００２】
手動噴霧器のための従来の屈曲自在浸漬チューブの多くは、ウェイトの備えられていない屈曲自在チューブの流動端（ｆｒｅｅ  ｅｎｄ）に挿入されたフィルターを備え、またはフィルターはないがチューブの流動端から延長されたウェイトを備えている。アメリカ特許６，３９４，３１９は、手動ディスペンサのための屈曲自在浸漬チューブを含み、ウェイト供給器（ｆｅｅｄｅｒ）として述べられる発明を開示している。ここで、手動ディスペンサは、屈曲自在浸漬チューブの一端に取り付けられたスクリーンにウェイトを備える。しかし、ウェイト供給器は、屈曲自在チューブの末端部に連結された経路の一端に１つの開口部を有する中央経路および分配のために経路を介して屈曲自在チューブに液体を供給するために経路の反対端に備えられた液体吸入開口部を含む。このようなウェイト供給器は、粒子や残骸が液体ディスペンサに流入することを防止するために、液体吸入開口部を覆うスクリーンを含む。そして、ウェイト供給器自体に十分な重量を有し、これにより液体分配容器が傾いた場合、該液体分配容器内に液体が移動することができるようにする。
【０００３】
ウェイト供給器の中央経路は、分配容器が繰り返し使用される間、特に垂直かつ逆さで動作する間に確実な作動を提供することができないチューブの末端部を単純に収容するようにのみ設計されたものであるため、ウェイトがチューブの末端部から離れるという点でそのようなウェイト供給器には不利である。さらに、ウェイト供給器は、分配される液体が高い粘度を有するときには、より大きな重量のウェイト供給器に取り替えられなければならない。これにより、加重された浸漬チューブのコストが上昇し、さらに深刻な故障が予想される。
【発明の開示】
【発明が解決しようとする課題】
【０００４】
したがって、本発明の目的は、ディスペンサに設けられる容器内に伸びる加重された末端部を有し、浸漬チューブの末端部に確実に取り付くフィルター要素を備え、ウェイトおよびチューブは容易に製造かつ設置するために単純に設計され、使用時に屈曲自在チューブの末端部を非常に効果的に下向に加重して容器が傾いたり逆さの間にも、液体面下に屈曲自在チューブの末端部が浸漬した状態を維持することができる手動分配器のための屈曲自在浸漬チューブを提供することにある。
【課題を解決するための手段】
【０００５】
フィルター要素は、その一端にチューブの末端部が伸びる探針部を備え、一方、フィルター要素の他端は末端部を超えて伸び、屈曲自在浸漬チューブを形成する管の内部と連結するフィルター材を含む。ウェイトは、使用時に屈曲自在チューブの末端部を下向に加重させるようにフィルター要素の一端および管の末端部部を囲む。探針部は管状体の内側直径よりも若干大きい横寸法に設計され、フィルター要素がその場所での摩擦による取付けを向上させる。または、探針部は、該横寸法を少なくとも屈曲自在チューブの内側大きさと同一にし、ウェイトを管状にし、かつ管状体の外側直径よりも若干小さい内側直径を有することにより、フィルター要素がその場所での摩擦による取付けを向上させる。フィルター要素は、末端部へ該探針部が過度に拡張することを制限しつつ、チューブ末端部部を囲むウェイトを支持するための外側環状フランジを備える。
【０００６】
本発明による他の目的、長所および新たな特徴は、以下の図面と合わせた本発明に対する詳細な説明において、より明確に示される。
【発明を実施するための最良の形態】
【０００７】
ここで図面を参照にし、トリガー動作型の手動噴霧器は、何も発明の部分のない手動動作型ポンプ噴霧器や電池により働く公知の形状で図１において図面番号１０で表示されている。一般的に噴霧器は、噴霧器の前端に設置されたノズル１４を介し、公知の方法で液体を分配するためのトリガーレバー１３を手動で操作する場合に噴霧される液体の入った容器１２に取り付けられる容器密閉キャップ１１を備えている。屈曲自在浸漬チューブ１５は公知の方法で容器密閉キャップ（ｃｌｏｓｕｒｅ）１１を経由して噴霧器の本体（図示せず）とその近接端１６において連結し、その屈曲自在浸漬チューブ１５は、ポリ塩化ビニルによって製造することができる。浸漬チューブは、液体面下の容器内の液体内容物まで伸ばされて、所定方向に屈曲可能なように十分な長さを有する。
【０００８】
本発明によれば、フィルター要素１７は、その一端に突出部または探針部１８を有する。このようなフィルター要素１７は、ポリプロピレン素材によって製造可能である。このような突出部または探針部１８は、その引入端で図面番号１９のように面取りされているか曲線である。これは、該引入端が屈曲自在浸漬チューブ（図３参照）の末端部２１内に拡張して、フィルター要素１７に確実に連結するようにするためである。フィルター要素１７は、該チューブの末端部２１内に突出部１８が挿入されるとき、屈曲自在チューブの外側流動端２３で支さえられて止まるようにするための外側環状フランジ２２を備えることができる。図２の連結された状態でチューブの末端部を超えて伸びたフィルター要素の反対端は、管状部２４を持ち、スクリーン状のフィルター材２５および／または他の公知のタイプの多孔性フィルター材２６を含むことができる。フィルター材２５、２６は突出部１８にある少なくとも１つの軸溝２９を経由して屈曲自在チューブ１５内部と連結する。図３および図４に示されたように、突出部は４つの軸溝２９のような隣接するウイング間に４つの空間を有する交差ウイング２７、２８から形成される十字型である。
【０００９】
突出部１８は、本発明から逸脱しない範囲で、少なくとも１つの軸溝を有する適切な他の設計でもよい。いかなる場合でも、突出部の横寸法、すなわち各ウイング２７、２８の幅を浸漬チューブ１５の内側直径より若干大きくし、突出部１８がチューブの末端部に挿入されるときにフィルター要素とチューブの末端部が隙間なく摩擦によって連結されるようにすることができる。したがって、ウイング２７、２８をチューブの末端部に取り付けようと圧力をかけた時、ウイング２７、２８は、チューブを伸ばす。そうしなければ、必然的に突出部の横寸法とチューブ内側直径間の格差を生じさせる非シリンダ型に変形される。又、他の形状の突出部を取り付けようと圧力をかけた時、浸漬チューブの末端部は、本発明の範囲内で他の歪み／変形を伴う。
【００１０】
長い管を形成する浸漬チューブは、ウェイト３１を設置することによってその末端部に加重する。このようなウェイト３１は、環状フランジ２２に支えられ強く巻かれたコイルスプリング形状である。チューブが噴霧器本体に連結される前に、ウェイト３１は浸漬チューブの近接端１６から定位置に組み立てることができる。このようなウェイト３１は、十分な質量および密度を持つことにより、噴霧器パッケージが多様な方式で使われる時、チューブの末端部が液体面下に浸かった状態を維持することができるようにする。または、フィルター要素１７が定位置に取り付けられる前に、ウェイトはチューブに組み立てられる。
【００１１】
必然的にシリンダ本体の形状であるウェイトは、チューブの内側直径と比べて若干大きいウイング２７、２８の幅、または突出部１８の横寸法は、フィルター要素とチューブとの間のより強い摩擦による固定を生じるような、一実施例においてチューブ１５の外側直径より小さくない内側直径を有するかもしれない。そうでなければ、ウェイトがチューブの末端部および突出部１８の両方を囲む時に、フィルター要素と浸漬チューブ間の強い摩擦の固定を生じるために突出部１８に対してそのウェイトが強く末端部を押すように、ウェイトの内側直径３１はチューブ１５の外側直径よりわずかに小さいかもしれない。そして、本発明のまた他の実施例においては、突出部の横寸法がチューブの内側直径を若干超し、またウェイトの内側直径をチューブの外側直径より若干小さくすることができる。その結果、チューブの末端部は、該外側直径からだけでなく、内側直径からも圧力を受け、フィルター要素と浸漬チューブ末端部との間で摩擦によって隙間なく連結できるようになる。
【００１２】
該末端部にフィルターを備えた加重された浸漬チューブは、使用時に残骸または望ましくない液体状の微粒子物質が、噴霧器１０がポンプ噴霧器型である場合にはポンプチャンバに流入することを防ぎ、噴霧器がバッテリ作動型の場合にはポンプギア（図示せず）に流入することを防ぐ。噴霧する間、加重された末端部は、液体面と噴霧パッケージの方式に関係なく、液体に浸漬される。
【００１３】
前述したように、フィルター要素は簡単な構造で容易に製造されており、鋼鉄コイルスプリングは、組み立て品を経済的に製造でき、手軽に用いることのできる部品である。そして、各部品は、手作業でまたは効果的なコストを抑えた自動化装備を用いることによって、手軽に組み立てることができる一方、該フィルターが備えられた加重された浸漬チューブは、使用時効率的かつ効果的である。
【００１４】
本発明による多くの修正や変形が、本発明の要旨によって製作可能であるのは明確である。例えば、ウェイト３１では、本発明を維持しつつ、金属ワッシャの積層形態等を適用することができる。したがって、特許請求範囲内において、本発明は、詳細に記述された内容よりやや異なって実行されることであろう。
【図面の簡単な説明】
【００１５】
【図１】噴霧される液体の入った容器に乗せられた手動噴霧器に繋がっているフィルターを備えた、加重された屈曲自在浸漬チューブの側面図。
【図２】本発明によるウェイトおよびフィルターを備えた屈曲自在浸漬チューブの末端部を拡大した詳細図。
【図３】図２と類似の図面であって、より明確にするためにウェイトを除いたチューブ末端部の側面からフィルター要素を示した図面。
【図４】図２の３−３線に沿って切断した拡大断面図。
【符号の説明】
【００１６】
１０…手動噴霧器
１２…容器
１５…屈曲自在浸漬チューブ
１７…フィルター要素
１８…突出部
２１…チューブの末端部
２２…外側フランジ
２５，２６…フィルター材
３１…ウェイト
【図１】
2005144447.tif 000003
【図２】
2005144447.tif 000004
【図３】
2005144447.tif 000005
【図４】
2005144447.tif 000006
【外国語明細書】
2005144447.tif 000007
2005144447.tif 000008
2005144447.tif 000009
2005144447.tif 000010
2005144447.tif 000011
2005144447.tif 000012
2005144447.tif 000013
2005144447.tif 000014
2005144447.tif 000015
2005144447.tif 000016
2005144447.tif 000017
2005144447.tif 000018
2005144447.tif 000019
2005144447.tif 000020